Podtech/llm-jp-corpus-v4-ja_patent huggingface dataset:
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  制御装置が、始動入賞部品への球の始動入賞により表示器の当たり外れ図柄を変動表示するとともに、当たり外れ抽選を行ない、その当たり外れ抽選結果を取得して当たり外れ抽選結果記憶手段に記憶し、当たりの抽選結果により当たり図柄を表示器に停止表示した場合に、可変入賞部品の開閉体の開閉処理を行い、この開閉体の開放中に球の可変入賞部品への入賞により球払出機構を払出駆動するパチンコ機において、制御装置が、始動入賞検出手段と、始動入賞による当たり外れ図柄の図柄変動期間中の所定時期に、始動入賞検出手段でのさらなる始動入賞の検出により、当たり外れ抽選結果記憶手段に記憶されている当たり外れ抽選結果に当たりの抽選結果が存在するか否かを判定する判定手段と、この当たりの抽選結果が存在するとの判定手段での判定により当たりを予告する予告手段と、を備えたことを特徴とするパチンコ機。
【請求項２】  制御装置が、始動入賞による図柄変動期間中に表示器またはこの表示器とは別の表示器に所定時期を示す目印を表示する目印表示手段を備え、判定手段が、目印の表示に伴って起動される所定時期監視用カウンタからの時間情報を入力して所定時期を判定したことを特徴とする請求項１に記載のパチンコ機。
【請求項３】  目印表示手段が、表示器に、時間経過に伴って的図柄に向かって球図柄を近付けていくアニメーション図柄を表示し、判定手段が、アニメーション図柄の表示に伴って起動される所定時期監視用カウンタからの時間情報を入力して、的図柄に球図柄の当たる時又は当たる前又は当たった後又は当たる前後に設定された所定時期を判定したことを特徴とする請求項２に記載のパチンコ機。
【請求項４】  予告手段による当たりの予告を音あるいは図柄あるいは光あるいはこれらのうちの２つ以上の組み合わせで報知したことを特徴とする請求項１ないし請求項３のいずれかに記載のパチンコ機。
【請求項５】  判定手段が、図柄変動を発生させた始動入賞により得られた当たり外れ抽選結果の当たり外れを判定したことを特徴とする請求項１ないし請求項４のいずれかに記載のパチンコ機。
【請求項６】  制御装置が、予告手段の他に、当たりの予告を行うか否かを決定する決定手段を備えたことを特徴とする請求項１ないし請求項５のいずれかに記載のパチンコ機。
【手続補正２】
【補正対象書類名】明細書
【補正対象項目名】０００５
【補正方法】変更
【補正の内容】
【０００５】
【課題を解決するための手段】
本発明によれば、制御装置が、始動入賞部品への球の始動入賞により表示器の当たり外れ図柄を変動表示するとともに、当たり外れ抽選を行ない、その当たり外れ抽選結果を取得して当たり外れ抽選結果記憶手段に記憶し、当たりの抽選結果により当たり図柄を表示器に停止表示した場合に、可変入賞部品の開閉体の開閉処理を行い、この開閉体の開放中に球の可変入賞部品への入賞により球払出機構を払出駆動するパチンコ機において、制御装置が、始動入賞検出手段と、始動入賞による当たり外れ図柄の図柄変動期間中の所定時期に、始動入賞検出手段でのさらなる始動入賞の検出により、当たり外れ抽選結果記憶手段に記憶されている当たり外れ抽選結果に当たりの抽選結果が存在するか否かを判定する判定手段と、この当たりの抽選結果が存在するとの判定手段での判定により当たりを予告する予告手段と、を備えたので、始動入賞による当たり外れ図柄の図柄変動期間中の所定時期にさらなる始動入賞があり、当たりの抽選結果が当たり外れ抽選結果記憶手段に存在する場合には、予告手段により必ず当たりを予告するために、遊技者は図柄変動期間中の所定時期に集中して始動入賞を狙って当たりの予告を得ようとするので、図柄変動期間中における遊技者によるいわゆる「止め打ち」を抑止する効果が期待できるようになる。
また、制御装置が、始動入賞による図柄変動期間中に表示器またはこの表示器とは別の表示器に所定時期を示す目印を表示する目印表示手段を備え、判定手段が、目印の表示に伴って起動される所定時期監視用カウンタからの時間情報を入力して所定時期を判定したことにより、目印を見ながら所定時期に始動入賞を狙わせるという遊技を遊技者に対して演出できるので、遊技性が向上する。
また、目印表示手段が、表示器に、時間経過に伴って的図柄に向かって球図柄を近付けていくアニメーション図柄を表示し、判定手段が、アニメーション図柄の表示に伴って起動される所定時期監視用カウンタからの時間情報を入力して、的図柄に球図柄の当たる時又は当たる前又は当たった後又は当たる前後に設定された所定時期を判定したので、的図柄に球図柄が当たる時期を狙って始動入賞を狙わせるという遊技を遊技者に対して演出できるので、遊技性が向上する。
また、予告手段による当たりの予告を音あるいは図柄あるいは光あるいはこれらのうちの２つ以上の組み合わせで報知したので、遊技者に対して当たりが得られたことを確実に演出でき、遊技性が向上する。
また、判定手段が、図柄変動を発生させた始動入賞により得られた当たり外れ抽選結果の当たり外れを判定したので、当たりの予告の後に図柄変動が終了すれば必ず当たり遊技となり、遊技者は所定時期に始動入賞させたことにより当たりを引き当てたと錯覚するようになるので、遊技者は当たりの予告を得るために図柄変動期間中でも始動入賞を狙うようになり、「止め打ち」抑止効果も高くなる。
また、制御装置が、予告手段の他に、当たりの予告を行うか否かを決定する決定手段を備えたので、嘘の当たりの予告を行わせることも可能となるので、演出バリエーションが増え、遊技性も向上する。
【手続補正書】
【提出日】平成18年7月19日(2006.7.19)
【手続補正１】
【補正対象書類名】明細書
【補正対象項目名】００３８
【補正方法】変更
【補正の内容】
【００３８】
第１回転板２１の軸２４とギヤボックス２５の軸３０とには、プーリ３４，３５が装着されている。軸２４と軸３０とは、それらプーリ３４，３５に掛けられたオープンベルト３６を介して連動する。ギヤボックス２５の軸３０の回転は、オープンベルト３６を介して第１回転板２１の軸２４に伝えられる。軸２４が回転すると、第１回転板２１が軸２４の回転方向と同一方向（矢印Ｘ２方向）へ回転する。
【手続補正２】
【補正対象書類名】明細書
【補正対象項目名】００４３
【補正方法】変更
【補正の内容】
【００４３】
ギヤボックス２５とギヤボックス４７とは、シャフト７３を介して連結されている。ギヤボックス４７には、ギヤボックス２５からシャフト７３を介して回転力が伝えられる。ギヤボックス４７では、その内部にかさ歯車（図示せず）が装着されており、シャフト７３の回転がかさ歯車を介してギヤボックス４７の上方へ延びる軸５０とギヤボックス４７の下方へ延びる軸５１とに伝えられる。
【手続補正３】
【補正対象書類名】明細書
【補正対象項目名】００５０
【補正方法】変更
【補正の内容】
【００５０】
ベルト６４は、プーリ６０から補助プレート４５のプーリ６３へ向かって延び、さらに、案内車４８を経由して隣接する補助プレート４５のプーリ６３へ向かって延びている。軸５０の回転は、ベルト６１を介してプーリ６０に伝えられる。プーリ６０の回転は、ベルト６４を介して補助プレート４５の軸５２に伝えられる。軸５２が回転すると、それら補助プレート４５が第２回転板４４の回転方向（矢印Ｘ４方向）と逆方向（矢印Ｘ５方向）へ回転する。ベルト６１の張力は、それら案内車６２によって維持されている。
【手続補正４】
【補正対象書類名】明細書
【補正対象項目名】００５２
【補正方法】変更
【補正の内容】
【００５２】
股下折曲装置２０では、おむつ構造体８０の股下域８２が第１および第２回転板２１，４４の間に近接するにしたがって、折曲プレート２２のガイドアーム３３が股下域８２の長手方向両側に位置する脚周り開口８４近傍からおむつ構造体８０の内部へ次第に進入するとともに、補助プレート４５のガイドブレード５４が折曲プレート２２のガイドアーム３３と同期して互いに離れた状態（半開状態）にある第１および第２胴周り域８１，８３の間をとおっておむつ構造体８０の内部へ次第に進入する。
【手続補正５】
【補正対象書類名】明細書
【補正対象項目名】００７２
【補正方法】変更
【補正の内容】
【００７２】
第１回転板２１は、上下方向へ延びる軸２４を介しておむつ構造体８０の移動方向へ回転可能である（矢印Ｘ２方向）。第１回転板２１の外側には、第１回転板２１と折曲プレート２２とに回転力を伝えるギヤボックス２５が設置されている。第１回転板２１の周縁部２１ａには、５個の案内車２６が装着されている。案内車２６は、隣り合う折曲プレート２２の間に位置し、上下方向へ延びる軸２７を介して第１回転板２１に装着され、第１回転板２１から独立して回転可能である。
【手続補正６】
【補正対象書類名】明細書
【補正対象項目名】００７８
【補正方法】変更
【補正の内容】
【００７８】
ベルト４３は、プーリ３９から折曲プレート２２のプーリ４１へ向かって延び、さらに、案内車２６を経由して隣接する折曲プレート２２のプーリ４１へ向かって延びている。軸２９の回転は、ベルト４０を介してプーリ３９に伝えられる。プーリ３９の回転は、ベルト４３を介して折曲プレート２２の軸３１に伝えられる。軸３１が回転すると、それら折曲プレート２２が第１回転板２１の回転方向（矢印Ｘ２方向）と逆方向（矢印Ｘ３方向）へ回転する。ベルト４３の張力は、それら案内車２６によって維持されている。
【手続補正７】
【補正対象書類名】明細書
【補正対象項目名】００８４
【補正方法】変更
【補正の内容】
【００８４】
図１０の股下折曲装置２０によるおむつ構造体８０の股下域８２の折り込みを説明すると、以下のとおりである。長手方向折曲部８５を介して股下域８２が折曲されたおむつ構造体８０は、搬送機構を介して長手方向前方（矢印Ｘ１方向）へ移動している。おむつ構造体８０は、互いに対向する第１および第２胴周り域８１，８３が離れた状態（半開状態）で第１回転板２１に次第に近づく。第１回転板２１は、おむつ構造体８０の移動速度と同期しておむつ構造体８０の移動方向へ回転している（矢印Ｘ２方向）。
【手続補正８】
【補正対象書類名】明細書
【補正対象項目名】００８５
【補正方法】変更
【補正の内容】
【００８５】
股下折曲装置２０では、おむつ構造体８０の股下域８２が第１回転板２１の周縁部２１ａに近接するにしたがって、折曲プレート２２のガイドアーム３３が股下域８２の長手方向両側に位置する脚周り開口８４からおむつ構造体８０の内部へ次第に進入する。
【手続補正９】
【補正対象書類名】明細書
【補正対象項目名】符号の説明
【補正方法】変更
【補正の内容】
【符号の説明】
２          透液性表面シート（透液性連続第１ウェブ）
３          不透液性裏面シート（不透液性連続第２ウェブ）
４          吸液性コア
２０          股下折曲装置
２１          第１回転板
２１ａ        周縁部
２２          折曲プレート
２３          確動カム
２４          軸
３１          軸
３２          第１ベース
３３          ガイドアーム
３３ａ        対向側部
３３ｂ        先端部
３３ｃ        基端部
４４          第２回転板
４４ａ        周縁部
４５          補助プレート
４６          軸
５２          軸
５３          第２ベース
５４          ガイドブレード
５４ａ        先端部
６５          間隙
６６          偏心カム溝
６７          リンク
６８          ロッド
６８ｂ        端部（後端部）
６９          ピン
８０          連続おむつ構造体
８１          第１胴周り域
８２          股下域
８２ａ        両側部
８３          第２胴周り域
８４          脚周り開口
８５          長手方向折曲部
【手続補正書】
【提出日】平成18年7月19日(2006.7.19)
【手続補正１】
【補正対象書類名】明細書
【補正対象項目名】００６０
【補正方法】変更
【補正の内容】
【００６０】
図９，１０は、他の一例として示す股下折曲装置２０の上面図と、図９の股下折曲装置２０の側面図とであり、図１１，１２は、一部を破断して示す図１０の部分拡大側面図と、折曲プレート２２の拡大上面図とである。図９では、長手方向を矢印Ｘで示し、幅方向を矢印Ｙで示す。図１０，１１では、上下方向（折曲部７５で折曲されたおむつ構造体７０の厚み方向）を矢印Ｚで示す。図１２では、ガイドアーム３２がおむつ構造体７０の内部に進入した状態にある。なお、それら図では、連続おむつ構造体７０を簡略化して示し、第１および第２ウェブの区別とコアや胴周り用弾性部材、脚周り用弾性部材の図示とを省略している。
【手続補正２】
【補正対象書類名】明細書
【補正対象項目名】００６７
【補正方法】変更
【補正の内容】
【００６７】
ギヤボックス２５の軸２８には、電動機（図示せず）から回転力が与えられる。ギヤボックス２５では、その内部にかさ歯車（図示せず）が装着されており、軸２８の回転がかさ歯車を介してギヤボックス２５の上方へ延びる軸２９とギヤボックス２５の下方へ延びる軸３０とに伝えられる。
【手続補正３】
【補正対象書類名】明細書
【補正対象項目名】００６８
【補正方法】変更
【補正の内容】
【００６８】
折曲プレート２２は、おむつ構造体７０の折曲部７５の幅方向外方に位置している。折曲プレート２２は、第１回転板２１の周縁部２１ａにその周方向へ一定間隔で並んでいる。折曲プレート２２は、第１回転板２１の回転にともなって、おむつ構造体７０の股下域７２へ向かって進退可能である。折曲プレート２２は、第１ベース３１と、第１ベース３１から第１回転板２１の径方向外方へ延びる一対のガイドアーム３２とから形成されている。
【手続補正４】
【補正対象書類名】明細書
【補正対象項目名】００７４
【補正方法】変更
【補正の内容】
【００７４】
折曲プレート２２は、ガイドアーム３２の基端部３２ｃに取り付けられた一対のリンク５７と、リンク５７に接続されたロッド５８と、ロッド５８の後端部５８ｂ（端部）に位置して上下方向へ延びるピン５９とを有する。リンク５７とロッド５８とは、ガイドアーム３２の基端部３２ｃから第１回転板２１の径方向外方へ延びている。リンク５７は、ガイドアーム３２の基端部３２ｃに位置する軸６０とロッド５８の前端部５８ａに位置する軸６１とに取り付けられている。ガイドアーム３２は、その基端部３２ｃが旋回軸６２を介して第１ベース３１に装着されている。
【手続補正５】
【補正対象書類名】明細書
【補正対象項目名】００７７
【補正方法】変更
【補正の内容】
【００７７】
図９の股下折曲装置２０によるおむつ構造体７０の股下域７２の折り込みを説明すると、以下のとおりである。長手方向折曲部７５を介して股下域７２が折曲されたおむつ構造体７０は、搬送機構を介して長手方向前方（矢印Ｘ１方向）へ移動している。おむつ構造体７０は、互いに対向する第１および第２胴周り域７１，７３が互いに離れた状態（半開状態）で第１回転板２１に次第に近づく。第１回転板２１は、おむつ構造体７０の移動速度と同期しておむつ構造体７０の移動方向へ回転している（矢印Ｘ２方向）。
【手続補正６】
【補正対象書類名】明細書
【補正対象項目名】００８３
【補正方法】変更
【補正の内容】
【００８３】
この股下折曲装置２０では、おむつ構造体７０の股下域７２の折り込みを連続かつ高速に行うことができるとともに、ガイドアーム３２が股下域７２の両側部７２ａを挟み込みながら、両側部７２ａをおむつ構造体７０の内部に向かって押し入れるので、股下域７２を確実に折り込むことができる。
【手続補正７】
【補正対象書類名】図面
【補正対象項目名】図９
【補正方法】変更
【補正の内容】
【図９】
2004141637.tif 000001
【手続補正８】
【補正対象書類名】図面
【補正対象項目名】図１０
【補正方法】変更
【補正の内容】
【図１０】
2004141637.tif 000002
【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】
垂直配向膜の設けられていない基板上に、液晶性フラグメント側鎖を含有するモノマーユニット（ａ）として、一般式（ａ）：
【化１Ａ】
2002174725.tif 000001
（ただし、Ｒ1は水素原子またはメチル基を、ａは１〜６の正の整数を、Ｘ1は−ＣＯ2−基または−ＯＣＯ−基を、Ｒ2はシアノ基、炭素数１〜６のアルコキシ基、フルオロ基または炭素数１〜６のアルキル基を、ｂおよびｃは１または２の整数を示す。）で表されるネマチック液晶性を有する側鎖を有するモノマーユニットと、
非液晶性フラグメント側鎖を含有するモノマーユニット（ｂ）として、一般式（ｂ）：
【化２Ａ】
2002174725.tif 000002
（ただし、Ｒ3は水素原子またはメチル基を、Ｒ4は炭素数７〜２２のアルキル基、炭素数１〜２２のフルオロアルキル基、または一般式（ｃ）：
【化３Ａ】
2002174725.tif 000003
ただし、ｄは１〜６の正の整数を、Ｒ5は炭素数１〜６のアルキル基を示す。）で表される直鎖状側鎖を有するモノマーユニットを含有する側鎖型液晶ポリマーを塗工し、さらに当該液晶ポリマーを液晶状態においてホメオトロピック配向させた後、その配向状態を維持した状態で固定化することを特徴とするホメオトロピック配向液晶フィルムの製造方法。
【請求項２】
基板の材質が、ポリマー物質、ガラスまたは金属であることを特徴とする請求項１記載のホメオトロピック配向液晶フィルムの製造方法。
【請求項３】
請求項１または２記載の製造方法により得られたホメオトロピック配向液晶フィルム。
【請求項４】
垂直配向膜の設けられていない基板上に、液晶性フラグメント側鎖を含有するモノマーユニット（ａ）として、一般式（ａ）：
【化１Ｂ】
2002174725.tif 000004
（ただし、Ｒ1は水素原子またはメチル基を、ａは１〜６の正の整数を、Ｘ1は−ＣＯ2−基または−ＯＣＯ−基を、Ｒ2はシアノ基、炭素数１〜６のアルコキシ基、フルオロ基または炭素数１〜６のアルキル基を、ｂおよびｃは１または２の整数を示す。）で表されるネマチック液晶性を有する側鎖を有するモノマーユニットと、
非液晶性フラグメント側鎖を含有するモノマーユニット（ｂ）として、一般式（ｂ）：
【化２Ｂ】
2002174725.tif 000005
（ただし、Ｒ3は水素原子またはメチル基を、Ｒ4は炭素数７〜２２のアルキル基、炭素数１〜２２のフルオロアルキル基、または一般式（ｃ）：
【化３Ｂ】
2002174725.tif 000006
ただし、ｄは１〜６の正の整数を、Ｒ5は炭素数１〜６のアルキル基を示す。）で表される直鎖状側鎖を有するモノマーユニットを含有する側鎖型液晶ポリマーがホメオトロピック配向したホメオトロピック配向液晶フィルム層が設けられている光学フィルム。
【請求項５】
基板の材質が、ポリマー物質、ガラスまたは金属であることを特徴とする請求項４記載の光学フィルム。
【手続補正２】
【補正対象書類名】明細書
【補正対象項目名】０００９
【補正方法】変更
【補正の内容】
【０００９】
すなわち本発明は、垂直配向膜の設けられていない基板上に、液晶性フラグメント側鎖を含有するモノマーユニット（ａ）として、一般式（ａ）：
【化１Ｃ】
2002174725.tif 000007
（ただし、Ｒ1は水素原子またはメチル基を、ａは１〜６の正の整数を、Ｘ1は−ＣＯ2−基または−ＯＣＯ−基を、Ｒ2はシアノ基、炭素数１〜６のアルコキシ基、フルオロ基または炭素数１〜６のアルキル基を、ｂおよびｃは１または２の整数を示す。）で表されるネマチック液晶性を有する側鎖を有するモノマーユニットと、
非液晶性フラグメント側鎖を含有するモノマーユニット（ｂ）として、一般式（ｂ）：
【化２Ｃ】
2002174725.tif 000008
（ただし、Ｒ3は水素原子またはメチル基を、Ｒ4は炭素数７〜２２のアルキル基、炭素数１〜２２のフルオロアルキル基、または一般式（ｃ）：
【化３Ｃ】
2002174725.tif 000009
ただし、ｄは１〜６の正の整数を、Ｒ5は炭素数１〜６のアルキル基を示す。）で表される直鎖状側鎖を有するモノマーユニットを含有する側鎖型液晶ポリマーを塗工し、さらに当該液晶ポリマーを液晶状態においてホメオトロピック配向させた後、その配向状態を維持した状態で固定化することを特徴とするホメオトロピック配向液晶フィルムの製造方法、に関する。
【手続補正３】
【補正対象書類名】明細書
【補正対象項目名】００１３
【補正方法】変更
【補正の内容】
【００１３】
さらには、本発明は、垂直配向膜の設けられていない基板上に、液晶性フラグメント側鎖を含有するモノマーユニット（ａ）として、一般式（ａ）：
【化１Ｄ】
2002174725.tif 000010
（ただし、Ｒ1は水素原子またはメチル基を、ａは１〜６の正の整数を、Ｘ1は−ＣＯ2−基または−ＯＣＯ−基を、Ｒ2はシアノ基、炭素数１〜６のアルコキシ基、フルオロ基または炭素数１〜６のアルキル基を、ｂおよびｃは１または２の整数を示す。）で表されるネマチック液晶性を有する側鎖を有するモノマーユニットと、
非液晶性フラグメント側鎖を含有するモノマーユニット（ｂ）として、一般式（ｂ）：
【化２Ｄ】
2002174725.tif 000011
（ただし、Ｒ3は水素原子またはメチル基を、Ｒ4は炭素数７〜２２のアルキル基、炭素数１〜２２のフルオロアルキル基、または一般式（ｃ）：
【化３Ｄ】
2002174725.tif 000012
ただし、ｄは１〜６の正の整数を、Ｒ5は炭素数１〜６のアルキル基を示す。）で表される直鎖状側鎖を有するモノマーユニットを含有する側鎖型液晶ポリマーがホメオトロピック配向したホメオトロピック配向液晶フィルム層が設けられている光学フィルム、に関する。
【手続補正４】
【補正対象書類名】明細書
【補正対象項目名】００１４
【補正方法】変更
【補正の内容】
【００１４】
【発明の実施の形態】
本発明においてホメオトロピック配向液晶層を形成しうる液晶ポリマーとしては、下記、液晶性フラグメント側鎖を含有するモノマーユニット（ａ）と非液晶性フラグメント側鎖を含有するモノマーユニット（ｂ）を含有する側鎖型液晶ポリマーが用いられる。
【手続補正５】
【補正対象書類名】明細書
【補正対象項目名】００１６
【補正方法】変更
【補正の内容】
【００１６】
またモノマーユニット（ｂ）は、直鎖状側鎖を有するものであり、たとえば、一般式（ｂ）：
【化２】
2002174725.tif 000013
（ただし、Ｒ3は水素原子またはメチル基を、Ｒ4は炭素数７〜２２のアルキル基、炭素数１〜２２のフルオロアルキル基、または一般式（ｃ）：
【化３】
2002174725.tif 000014
ただし、ｄは１〜６の正の整数を、Ｒ5は炭素数１〜６のアルキル基を示す。）で表されるモノマーユニットがあげられる。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
本体に着脱可能に装着されるカートリッジと、該カートリッジ内に収容され該カートリッジに関係する情報が格納される第１の記憶手段と、該記憶手段に対して前記カートリッジに関係する情報の読み取り及び書き込みを行う読み取り／書き込み手段とを有する画像形成装置において、前記本体に設けられ前記読み取り／書き込み手段により前記第１の記憶手段から読み取られた情報をすべて記憶する第２の記憶手段を備えたことを特徴とする画像形成装置。
【請求項２】
本体に着脱可能に装着されるカートリッジと、該カートリッジが前記本体に装着されたことを検出する検出手段と、前記カートリッジ内に収容され該カートリッジに関係する情報として前記カートリッジ固有の識別情報と、使用状況を示すロギング情報が格納される第１の記憶手段と、該記憶手段に対して前記カートリッジに関係する情報の読み取り及び書き込みを行う読み取り／書き込み手段とを有する画像形成装置において、前記本体に設けられ前記読み取り／書き込み手段により前記第１の記憶手段から読み取られた情報をすべて記憶する第２の記憶手段を備え、前記読み取り／書き込み手段により前記第１の記憶手段から読み取られた情報が前記本体に前回装着されたカートリッジに関係する情報と同じである場合には前記読み取り／書き込み手段による前記第１の記憶手段からのロギング情報の読み取りを行わないことを特徴とする画像形成装置。
【請求項３】
請求項２記載の画像形成装置において、前記本体側の前記第２の記憶手段内のロギング情報の更新に対して前記カートリッジ側の前記第１の記憶手段へは機械が動作中でない時に反映させることを特徴とする画像形成装置。
【手続補正２】
【補正対象書類名】明細書
【補正対象項目名】０００６
【補正方法】変更
【補正の内容】
【０００６】
【課題を解決するための手段】
上記目的を達成するため、請求項１に係る発明は、本体に着脱可能に装着されるカートリッジと、該カートリッジ内に収容され該カートリッジに関係する情報が格納される第１の記憶手段と、該記憶手段に対して前記カートリッジに関係する情報の読み取り及び書き込みを行う読み取り／書き込み手段とを有する画像形成装置において、前記本体に設けられ前記読み取り／書き込み手段により前記第１の記憶手段から読み取られた情報をすべて記憶する第２の記憶手段を備えたものである。
【手続補正３】
【補正対象書類名】明細書
【補正対象項目名】０００７
【補正方法】変更
【補正の内容】
【０００７】
請求項２に係る発明は、本体に着脱可能に装着されるカートリッジと、該カートリッジが前記本体に装着されたことを検出する検出手段と、前記カートリッジ内に収容され該カートリッジに関係する情報として前記カートリッジ固有の識別情報と、使用状況を示すロギング情報が格納される第１の記憶手段と、該記憶手段に対して前記カートリッジに関係する情報の読み取り及び書き込みを行う読み取り／書き込み手段とを有する画像形成装置において、前記本体に設けられ前記読み取り／書き込み手段により前記第１の記憶手段から読み取られた情報をすべて記憶する第２の記憶手段を備え、前記読み取り／書き込み手段により前記第１の記憶手段から読み取られた情報が前記本体に前回装着されたカートリッジに関係する情報と同じである場合には前記読み取り／書き込み手段による前記第１の記憶手段からのロギング情報の読み取りを行わないものである。
【手続補正４】
【補正対象書類名】明細書
【補正対象項目名】０００８
【補正方法】変更
【補正の内容】
【０００８】
請求項３に係る発明は、請求項２記載の画像形成装置において、前記本体側の前記第２の記憶手段内のロギング情報の更新に対して前記カートリッジ側の前記第１の記憶手段へは機械が動作中でない時に反映させるものである。
【手続補正５】
【補正対象書類名】明細書
【補正対象項目名】００４１
【補正方法】変更
【補正の内容】
【００４１】
【発明の効果】
以上のように請求項１に係る発明によれば、カートリッジ内に収容された記憶手段からの情報の信憑性を上げることができる。  
請求項２に係る発明によれば、記憶手段への情報書き込み時に故意にカートリッジが外されたとしても次回のカートリッジ装着で情報が壊されないようにすることができる。  
請求項３に係る発明によれば、記憶手段の書き込み回数制限による制約を回避することができる。
【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】電圧制御半導体素子を用いたスイッチング回路において、該電圧制御半導体素子の制御電極を駆動する回路の入出力電圧よりも該駆動する回路の電源電圧を該電圧制御半導体素子の遮断電圧時に十分に高くすることと、該電圧制御半導体素子の導通時の制御電圧を導通抵抗がほぼ飽和する制御電圧付近にすることと、該電圧制御半導体素子を非導通にさせる制御インピーダンスよりも導通にさせる制御インピーダンスを高くすることと、該電圧制御半導体素子の制御電極容量に制御インピーダンスを反比例させることの少なくとも一方を特徴とする回路。
【請求項２】電圧制御半導体素子を用いたスイッチング電源回路において、該電圧制御半導体素子の制御電極を駆動する回路と制御電極とを容量結合し、該電圧制御半導体素子の導通抵抗がほぼ飽和する制御電圧と、該電圧制御半導体素子の制御電圧を容量結合後に直流再生させる直流再生ダイオードの順方向導通電圧または直列個数の少なくとも一方とを反比例させることにより、該電圧制御半導体素子の導通時の制御電圧を導通抵抗がほぼ飽和する制御電圧付近にすることと、該電圧制御半導体素子の制御電極を駆動する回路の入出力電圧よりも該駆動する回路の電源電圧を、該電圧制御半導体素子の遮断電圧時に十分に高くすることの少なくとも一つを特徴とする回路。
【請求項３】電圧制御半導体素子を用いたスイッチング電源回路において、該電圧制御半導体素子の制御電極を駆動する回路と制御電極とを容量結合し、該電圧制御半導体素子の制御電圧を容量結合後に直流再生させる直流再生ダイオードを複数直列接続させることにより、該電圧制御半導体素子の導通時の制御電圧を導通抵抗がほぼ飽和する制御電圧付近にすることと、該電圧制御半導体素子の制御電極を駆動する回路の入出力電圧よりも該駆動する回路の電源電圧を、該電圧制御半導体素子の遮断電圧時に十分に高くすることの少なくとも一つを特徴とする回路。
【請求項４】ＭＯＳＦＥＴを用いたスイッチング電源回路において、該ＭＯＳＦＥＴの制御電極を駆動するエミッタフォロワと該ＭＯＳＦＥＴの制御電極とを容量結合し、該ＭＯＳＦＥＴの制御電極電圧を直流再生させる直流再生ダイオードを複数直列接続することを特徴とする回路。
【手続補正書】
【提出日】平成18年11月13日(2006.11.13)
【手続補正１】
【補正対象書類名】明細書
【補正対象項目名】発明の名称
【補正方法】変更
【補正の内容】
【発明の名称】アンテナ装置及び受信装置
【手続補正２】
【補正対象書類名】明細書
【補正対象項目名】特許請求の範囲
【補正方法】変更
【補正の内容】
【特許請求の範囲】
【請求項１】  複数のアンテナと、
該複数のアンテナで受信した受信信号が入力され、該複数のアンテナで受信した受信信号を選択し、出力する選択手段と、
前記選択手段から出力される受信信号のマッチングを行い、出力するマッチング手段と、
前記複数のアンテナ及び受信周波数の組み合わせに対応する前記マッチング手段を制御するマッチング定数を格納する格納手段と、を有し、
前記マッチング手段は、前記選択手段で選択された受信信号を受信するアンテナと出力される受信信号の受信周波数の組み合わせにより、前記格納手段に格納された対応するマッチング定数に基づいて制御されることを特徴とするアンテナ装置。
【請求項２】  前記複数のアンテナは、２種以上の異なる形状を有していることを特徴とする、請求項１に記載のアンテナ装置。
【請求項３】  複数のアンテナと、
該複数のアンテナの間に接続されるマッチング手段と、
受信周波数に対応する前記マッチング手段を制御するマッチング定数を格納する格納手段と、を有し、
前記マッチング手段は、前記受信周波数により、前記格納手段に格納された対応するマッチング定数に基づいて制御されることを特徴とするアンテナ装置。
【請求項４】  前記複数のアンテナは、平板型コニカルアンテナであることを特徴とする、請求項１−３のいずれかに記載のアンテナ装置。
【請求項５】  複数のアンテナと、
該複数のアンテナで受信した受信信号が入力され、該複数のアンテナで受信した受信信号を選択し、出力する選択手段と、
前記選択手段から出力される受信信号のマッチングを行い、出力するマッチング手段と、
前記マッチング手段から出力される信号が入力されると共に、前記選択手段に受信信号の選択を制御する信号を出力する受信機と、
前記複数のアンテナ及び受信周波数の組み合わせに対応する前記マッチング手段を制御するマッチング定数を格納する格納手段と、を有し、
前記マッチング手段は、前記選択手段で選択された受信信号を受信するアンテナと出力される受信信号の受信周波数の組み合わせにより、前記格納手段に格納された対応するマッチング定数に基づいて制御されることを特徴とする受信装置。
【請求項６】  複数のアンテナと、
該複数のアンテナの間に接続されるマッチング手段と、
前記複数のアンテナの少なくとも１つのアンテナの受信した信号が入力される受信機と、
受信周波数に対応する前記マッチング手段を制御するマッチング定数を格納する格納手段と、を有し、
前記マッチング手段は、前記受信周波数により、前記格納手段に格納された対応するマッチング定数に基づいて制御されることを特徴とする受信装置。
【請求項７】  前記複数のアンテナの少なくとも１つのアンテナと前記受信機との間にマッチング手段を備えることを特徴とする、請求項５に記載の受信装置。
【請求項８】  前記受信機は、異なる受信周波数帯域を処理する複数の受信機を有し、
前記マッチング手段の出力を前記複数の受信機のいずれかに入力する切換手段と、を備えることを特徴とする、請求項５又は７に記載の受信装置。
【請求項９】  前記受信機は、異なる受信周波数帯域を処理する複数の受信機を有し、
前記複数のアンテナの少なくとも１つのアンテナの受信信号を前記複数の受信機のいずれかに入力する切換手段と、を備えることを特徴とする、請求項６に記載の受信装置。
【手続補正書】
【提出日】平成18年9月19日(2006.9.19)
【手続補正１】
【補正対象書類名】明細書
【補正対象項目名】００２３
【補正方法】変更
【補正の内容】
【００２３】
膜（Ａ−１）の具体例としては、ＡｌをＡｌ／（Ａｌ＋Ｚｎ）で１〜１０ａｔ％の割合で含む酸化亜鉛からなる膜（ａ）が挙げられる。
特に、第１層は、膜（Ａ）と、ＡｌをＡｌ／（Ａｌ＋Ｚｎ）で１〜１０ａｔ％の割合で含む酸化亜鉛からなる膜（ａ）とを有し、かつ、膜（ａ）はＡｇを主成分とする金属からなる層（Ｂ）に接して設けられ、膜（Ａ）はガラス基体と膜（ａ）との間に設けられることが好ましい。膜（ａ）はガラス基体と膜（Ｂ）との間に設けられることが好ましい。膜（ａ）のＡｌの含有割合は、特に１．５〜１０ａｔ％さらには３〜５ａｔ％であることが好ましい。
Ｚｎの酸化物膜（ａ）を形成すると、成膜装置、雰囲気、成膜条件等を大幅に変更しなくても、膜（Ａ）の成膜に引き続いて膜（Ａ−１）の成膜を行なうことができ、生産上、コスト的に有利である。また、第１層としては、例えば、ガラス基体に接して膜（Ａ−１）を設け、さらに、膜（Ａ）、膜（Ａ−１）を順次積層させた３層からなる多層構成であってもよい。
【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】
少なくとも、ガラス基体、底部反射防止層、熱線反射層、頂部反射防止層、の順に構成された積層体を有するガラス積層体であって、底部反射防止層は、アルミニウムの窒化物を含む層を有することを特徴とするガラス積層体。
【請求項２】
少なくとも、ガラス基体、底部反射防止層、熱線反射層、中央部反射防止層、熱線反射層、頂部反射防止層、の順に構成された積層体を有するガラス積層体であって、底部反射防止層は、アルミニウムの窒化物を含む層を有することを特徴とするガラス積層体。
【請求項３】
アルミニウムの窒化物を含む層は、４ｎｍ超の幾何学的厚さを有することを特徴とする請求項１又は２に記載のガラス積層体。
【請求項４】
アルミニウムの窒化物を含む層は、１９．５ｎｍ未満の幾何学的厚さを有することを特徴とする請求項１〜３いずれか１項に記載のガラス積層体。
【請求項５】
頂部反射防止層は、１０ｎｍ未満の幾何学的膜厚のアルミニウムの窒化物を含む層を有することを特徴とする請求項１〜４いずれか１項に記載のガラス積層体。
【請求項６】
底部反射防止層は、基体に隣接したアルミニウムの窒化物を含む第１層と、その上の、金属酸化物を含む上層とを有することを特徴とする請求項１〜５いずれか１項に記載のガラス積層体。
【請求項７】
頂部反射防止層は、金属酸化物を含む第１層と、その上のアルミニウムの窒化物を含む上層とを有することを特徴とする請求項１〜６いずれか１項に記載のガラス積層体。
【請求項８】
金属酸化物を含む層が、ＺｎとＡｌの混合酸化物層であることを特徴とする請求項６又は７に記載のガラス積層体。
【請求項９】
請求項１〜８いずれか１項に記載のガラス積層体に、５７０℃以上の温度で、曲げ加工及び／又は強化加工を施すことを特徴とするガラス積層体の製造方法。
【手続補正書】
【提出日】平成18年2月7日(2006.2.7)
【手続補正１】
【補正対象書類名】明細書
【補正対象項目名】特許請求の範囲
【補正方法】変更
【補正の内容】
【特許請求の範囲】
【請求項１】  中空のゴルフクラブヘッドであって、該ヘッドの重量が２００ｇ以下、体積が３００〜９００ｃｃ、フェース部の最低肉厚が４ｍｍ以上で、比強度が３０ｋｇ／ｍｍ２ 以上の材料からなり、開孔を有する金属フィルムをヘッド表層部に積層してなるゴルフクラブヘッド。
【請求項２】  ヘッドの慣性モーメントが４×１０−４ｋｇ・ｍ２ 以上である請求項１記載のゴルフクラブヘッド。
【請求項３】  材料が炭素繊維織布強化エポキシ樹脂である請求項１又は２記載のゴルフクラブヘッド。
【手続補正２】
【補正対象書類名】明細書
【補正対象項目名】０００５
【補正方法】変更
【補正の内容】
【０００５】
【課題を解決するための手段】
本発明は、中空のゴルフクラブヘッドであって、該ヘッドの重量が２００ｇ以下、体積が３００〜９００ｃｃ、フェース部の最低肉厚が４ｍｍ以上で、比強度が３０ｋｇ／ｍｍ２ 以上の材料からなり、開孔を有する金属フィルムをヘッド表層部に積層してなるゴルフクラブヘッドにある。
【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】  酸化チタン粒子を表面に存在させた食品容器であって、
前記酸化チタン粒子が、ブルーカイト型結晶を含有するものであり、該酸化チタン粒子を、焼結助剤または焼結助剤とバインダーとを用いて表面に存在させてなり、
前記焼結助剤が、有機カルボン酸を含有し、該焼結助剤の添加量が酸化チタンに対して、１０ｐｐｍ〜１０００ｐｐｍであることを特徴とする食品容器。
【請求項２】  前記バインダーが、酸化珪素、酸化チタン、酸化アルミニウム、酸化ジルコニウム、酸化カルシウム、酸化マグネシウム、珪素のアルコキシド体、チタンのアルコキシド体、チタンのアセテート、チタンのキレート体の中から選ばれる１種以上であることを特徴とする請求項１の食品容器。
【請求項３】  酸化チタン粒子が存在する表面が、ステンレスからなることを特徴とする請求項１または２の食品容器。
【請求項４】  酸化チタン粒子が存在する表面が、ガラスからなることを特徴とする請求項１または２の食品容器。
【請求項５】  酸化チタン粒子を、焼結助剤または焼結助剤とバインダーとを用いて表面に存在させ、２０〜４５０℃で固定させることを特徴とする食品容器の製造方法。
【手続補正２】
【補正対象書類名】明細書
【補正対象項目名】０００６
【補正方法】変更
【補正の内容】
【０００６】
【課題を解決するための手段】
本発明は、酸化チタン粒子を表面に存在させた食品容器であって、前記酸化チタン粒子が、ブルーカイト型結晶を含有するものであり、該酸化チタン粒子を、焼結助剤または焼結助剤とバインダーとを用いて表面に存在させてなり、前記焼結助剤が、有機カルボン酸を含有し、該焼結助剤の添加量が酸化チタンに対して、１０ｐｐｍ〜１０００ｐｐｍであることによって解決される。また、食品容器は材質がステンレス、ガラスであることが望ましい。また、本発明の製造方法は、酸化チタン粒子を、焼結助剤または焼結助剤とバインダーとを用いて表面に存在させ、２０〜４５０℃で固定させることを特徴とする。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  使用者が自身の身長、年齢や性別などの基礎データを入力操作する操作部と、人の体重や体脂肪などの測定データを測定する測定部と、前記基礎データと前記測定部で測定される複数回分の測定データとしての蓄積データとを記憶する第１記憶部と、前記基礎データ及び前記蓄積データと新たに測定されるデータとの関係に応じた複数の判断データを予め記憶した第２記憶部と、前記測定部で測定された測定データ又は前記判断データに基づく判断を使用者へ表示する表示部とを備えた測定装置であって、
前記第２記憶部には、前記複数の判断データの各々に対応する複数のキャラクタと、当該複数のキャラクタのうちどのキャラクタを前記表示部に表示させるかを使用者の前記操作部の操作により選択可能とするプログラムとが予め記憶されていることを特徴とする測定装置。
【請求項２】  前記表示部に表示されるキャラクタは、前記測定データの変化状態に対応して変形された状態で表示されることを特徴とする、請求項１に記載の測定装置。
【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】被検部を照明するための照明光が導かれるライトガイドを有する内視鏡と、この内視鏡に着脱自在であって前記ライトガイドに照明光を供給する光源及びその光源に電力を供給するバッテリーを有するバッテリ型光源と、を収納して携帯可能な内視鏡用ケースにおいて、
前記バッテリ型光源のバッテリーを充電可能とする充電装置を具備したことを特徴とする内視鏡用ケース。
【請求項２】少なくとも内視鏡を収納する収納部と、前記内視鏡用のバッテリーを充電可能な充電装置と、を備えたことを特徴とする内視鏡用ケース。
【請求項３】前記充電装置に電力を供給する電源は、商用電源、発電機により発電して得られる電源、電池により得られる電源の少なくとも何れか一つであることを特徴とする請求項１又は２に記載の内視鏡用ケース。
【手続補正２】
【補正対象書類名】明細書
【補正対象項目名】０００９
【補正方法】変更
【補正の内容】
【０００９】
【課題を解決するための手段】
本発明の一態様による内視鏡用ケースは、被検部を照明するための照明光が導かれるライトガイドを有する内視鏡と、この内視鏡に着脱自在であって前記ライトガイドに照明光を供給する光源及びその光源に電力を供給するバッテリーを有するバッテリ型光源と、を収納して携帯可能な内視鏡用ケースにおいて、
前記バッテリ型光源のバッテリーを充電可能とする充電装置を具備している。
また、本発明の他の態様による内視鏡用ケースは、少なくとも内視鏡を収納する収納部と、前記内視鏡用のバッテリーを充電可能な充電装置と、を備えている。
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】
超音波探触子と、前記超音波探触子に超音波を発生させて反射超音波を受信する超音波送受信手段と、前記超音波送受信手段からの信号を時系列に複数フレーム記憶するシネメモリと、前記シネメモリからのフレーム情報を画像データに形成させるフレームメモリと、前記画像データに基づいて超音波画像を表示させる表示手段とを備えた超音波診断装置において、
前記超音波探触子を前記被検体に対して長軸方向へ滑らせて取得した第１画像と第２画像から互いに対応しあう特徴点を抽出する特徴点抽出部と、前記特徴点抽出部によって抽出された第１画像と第２画像の特徴点に基づいて前記第１画像に前記第２画像を接合させる画像接合手段とを備えたことを特徴とする超音波診断装置。
【請求項２】
前記画像接合手段は、前記第１画像と前記特徴点同士が一致するよう第２画像を伸縮させ、前記第１画像に前記第２画像を接合させることを特徴とする請求項１記載の超音波診断装置。
【請求項３】
前記第１画像は、過去に接合した接合画像であることを特徴とする請求項１記載の超音波診断装置。
【手続補正２】
【補正対象書類名】明細書
【補正対象項目名】０００３
【補正方法】変更
【補正の内容】
【０００３】
【発明が解決しようとする課題】 
従来の技術では、画像全体、または一部の領域に対し均一な処理を行っているため、超音波装置に特有な音響ノイズやアーチファクトなどが断面の移動推定に影響を与えてしまい接合画像の品質が低下する。また、米国特許5,575,286に記載の方法だと画像全体の移動ベクトルを推定する際に小領域に分割した画像のそれぞれから推定した移動ベクトルすべてに対して信頼の度合いに応じた重み付けを複雑な処理手順によって行っており、演算ステップが膨大となっている。また、小領域の移動ベクトル推定を行うためのオプティカルフロー用の演算にも多くのステップがさらに必要となり、結果として実時間で処理を行うためには膨大な専用ハードが必要となる。
【手続補正３】
【補正対象書類名】明細書
【補正対象項目名】０００５
【補正方法】変更
【補正の内容】
【０００５】
【課題を解決するための手段】
上記目的を達成するために、超音波探触子と、前記超音波探触子に超音波を発生させて反射信号を受信する超音波送受信手段と、前記超音波送受信手段からの信号を時系列に複数フレーム記憶するシネメモリと、前記シネメモリからのフレーム情報を画像データに形成させるフレームメモリと、前記画像データに基づいて超音波画像を表示させる表示手段とを備えた超音波診断装置において、前記超音波探触子を前記被検体に対して長軸方向へ滑らせて取得した第1画像と第2画像から互いに対応しあう特徴点を抽出する特徴点抽出部と、前記特徴点抽出部によって抽出された第1画像と第2画像の特徴点に基づいて前記第1画像に前記第2画像を接合させる画像接合手段とを備えた。
前記画像接合手段は、前記第1画像と前記特徴点同士が一致するよう第2画像を伸縮させ、前記第1画像に前記第2画像を接合させる。また、前記第1画像は、過去に接合した接合画像である。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  シートクッションを車両前方へ跳ね上げることにより生じた空間に、ロック機構のロックを解除したシートバックを倒して格納する自動車用シート構造において、ケーブルの一端を前記シートクッションに連結し、該ケーブルの他端を前記シートバックに連結することにより、前記シートクッションを回動して跳ね上げた時、前記ケーブルが前記シートクッションの回動と同方向へ引っ張られるようにしたことを特徴とする自動車用シート構造。
【請求項２】  シートクッションを車両前方へ跳ね上げることにより生じた空間に、ロック機構のロックを解除したシートバックを倒して格納する自動車用シート構造において、ケーブルの一端を前記シートクッションに連結し、該ケーブルの他端を前記シートバックに連結することにより、前記シートバックを車両後方へ回動させて起立させると、前記ケーブルが車両後方へ引っ張られるようにしたことを特徴とする自動車用シート構造。
【請求項３】  前記シートクッションの前部側にクッションヒンジを設け、該クッションヒンジを介して前記シートクッションをフロアに回動自在に連結することにより、前部を中心に車両前方へ回動させて前記シートクッションを跳ね上げるようにすると共に、前記シートバックは下端部を回動自在に支持することにより、車両前方へ倒すようにしたことを特徴とする請求項１または２にいずれかに記載の自動車用シート構造。
【請求項４】  前記ケーブルの一端を前記シートクッションの裏面側に取付けると共に、前記ケーブルの他端を前記シートバックのロック機構に取付け、前記シートクッションの跳ね上げに伴い、前記ケーブルを介して前記ロック機構を作動させることにより、前記シートバックに対するロックを解除するように構成したことを特徴とする請求項１〜３のいずれかに記載の自動車用シート構造。
【請求項５】  前記ロック機構が、シートバックのリクライニング装置に設けられていることを特徴とする請求項４に記載の自動車用シート構造。
【請求項６】  前記ロック機構、起立状態のシートバックの側部と対向する箇所のボデーに設けられていることを特徴とする請求項４に記載の自動車用シート構造。
【手続補正２】
【補正対象書類名】明細書
【補正対象項目名】０００５
【補正方法】変更
【補正の内容】
【０００５】
【課題を解決するための手段】
上記従来技術の有する課題を解決するために、本発明においては、シートクッションを車両前方へ跳ね上げることにより生じた空間に、ロック機構のロックを解除したシートバックを倒して格納する自動車用シート構造において、ケーブルの一端を前記シートクッションに連結し、該ケーブルの他端を前記シートバックに連結することにより、前記シートクッションを回動して跳ね上げた時、前記ケーブルが前記シートクッションの回動と同方向へ引っ張られるようにしている。
また、本発明においては、シートクッションを車両前方へ跳ね上げることにより生じた空間に、ロック機構のロックを解除したシートバックを倒して格納する自動車用シート構造において、ケーブルの一端を前記シートクッションに連結し、該ケーブルの他端を前記シートバックに連結することにより、前記シートバックを車両後方へ回動させて起立させると、前記ケーブルが車両後方へ引っ張られるようにしている。
【手続補正書】
【提出日】平成18年9月15日(2006.9.15)
【手続補正１】
【補正対象書類名】明細書
【補正対象項目名】請求項３
【補正方法】変更
【補正の内容】
【請求項３】
エチレン−ビニルアルコール系重合体がエチレン含有率１０〜６０モル％、ケン化度９５モル％以上である請求項２記載の中空糸膜の製造方法。
【手続補正２】
【補正対象書類名】明細書
【補正対象項目名】０００７
【補正方法】変更
【補正の内容】
【０００７】
上記の中空糸膜の製造方法において、製膜原液が少なくともエチレン−ビニルアルコール系重合体および溶媒を含み、さらに、エチレン−ビニルアルコール系重合体がエチレン含有率１０〜６０モル％、ケン化度９５モル％以上であること、また溶媒がジメチルスルホキシドであることがそれぞれ好ましい。また、上記の中空糸膜の製造方法において、中空形成剤が水または溶媒を６０重量％以下含有する水溶液であること、二重環状ノズルから押出された中空糸膜が空気中を通過する時間が０．１秒以上であることがそれぞれ好ましい。
【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  濾過ユニットを複数段備えてなる膜濾過装置であって、前段の濾過ユニットの濃縮水を後段の濾過ユニットへ原水として導く連結配管が設けられた膜濾過装置であって、
各濾過ユニットは、筒状の耐圧容器と、該耐圧容器内に同軸的に収容されたスパイラル型膜モジュールとを備えてなる膜濾過装置において、
各濾過ユニットが軸心線方向を上下方向にして配置されており、
各段の濾過ユニットの上方又は下方から気体を導入させて各濾過ユニットからの剥離汚染物を上下方向に移動させるための膜モジュール洗浄用の気体供給管と、上下方向に移動した剥離汚染物を各濾過ユニットから系外へ排出させる洗浄廃流体排出用配管とを有することを特徴とする膜濾過装置。
【請求項２】  請求項１において、前段の濾過ユニットと後段の濾過ユニットとは通水方向が上下逆となっており、
前記連結配管は、前段の濾過ユニットと後段の濾過ユニットの上端同士又は下端同士を連結しており、
該連結配管に膜モジュール気体洗浄用の前記気体供給管が接続されており、
各段の濾過ユニットの該連結配管が連結された端部と反対側から洗浄廃流体を排出させる手段が設けられていることを特徴とする膜濾過装置。
【請求項３】  請求項１又は２において、前記洗浄廃流体を排出させる手段として、
該前段の濾過ユニットへの原水導入用の配管に接続された廃流体排出管と、
該後段の濾過ユニットからの濃縮水排出管に接続された廃流体排出管とを備えてなることを特徴とする膜濾過装置。
【請求項４】  請求項１ないし３のいずれか１項において、各段につき１個又は並列に接続された複数の濾過ユニットが配置されていることを特徴とする膜濾過装置。
【手続補正２】
【補正対象書類名】明細書
【補正対象項目名】００１１
【補正方法】変更
【補正の内容】
【００１１】
【課題を解決するための手段】
本発明の膜濾過装置は、濾過ユニットを複数段備えてなる膜濾過装置であって、前段の濾過ユニットの濃縮水を後段の濾過ユニットへ原水として導く連結配管が設けられた膜濾過装置であって、各濾過ユニットは、筒状の耐圧容器と、該耐圧容器内に同軸的に収容されたスパイラル型膜モジュールとを備えてなる膜濾過装置において、各濾過ユニットが軸心線方向を上下方向にして配置されており、各段の濾過ユニットの上方又は下方から気体を導入させて各濾過ユニットからの剥離汚染物を上下方向に移動させるための膜モジュール洗浄用の気体供給管と、上下方向に移動した剥離汚染物を各濾過ユニットから系外へ排出させる洗浄廃流体排出用配管とを有することを特徴とするものである。
本発明の一態様は、前段の濾過ユニットと後段の濾過ユニットとは通水方向が上下逆となっており、前記連結配管は、前段の濾過ユニットと後段の濾過ユニットの上端同士又は下端同士を連結しており、該連結配管に膜モジュール気体洗浄用の前記気体供給管が接続されており、各段の濾過ユニットの該連結配管が連結された端部と反対側から洗浄廃流体を排出させる手段が設けられていることを特徴とするものである。